(57)【特許請求の範囲】
【請求項１】
予め登録された屋台の出店情報を基に作成された屋台出店情報を外部から閲覧自在に表示する表示手段と、前記表示手段に表示された屋台出店情報に応じて外部から入力される参加情報を基に前記屋台の出店指示を出力する手段と、前記参加情報に基づいて生成される前記出店する屋台への参加申し込みを行った顧客のリストを蓄積する手段と、前記顧客のリストを取得する移動端末とを有し、出店した屋台への顧客の正当性を前記移動端末を介して確認することを特徴とする調理人派遣システム。
【請求項２】
前記表示手段に表示される前記屋台出店情報は、インタネットを介して閲覧自在なホームページであることを特徴とする請求項１記載の調理人派遣システム。
【請求項３】
前記屋台出店情報は、出店予定の日時及び場所を示す情報と、出店する屋台の種類を示す情報と、前記出店する屋台の料金情報とを少なくとも含むことを特徴とする請求項１または請求項２記載の調理人派遣システム。
【請求項４】
前記屋台の詳細な情報を当該屋台の情報が掲示されたホームページに連結して閲覧自在とするようにしたことを特徴とする請求項１から請求項３のいずれか記載の調理人派遣システム。
【請求項５】
予め登録された屋台の情報を基に作成された屋台派遣情報と予め登録された屋台の出店情報を基に作成された屋台出店情報と予め登録された調理人の情報を基に作成された調理人派遣情報とを外部から閲覧自在に表示する表示手段と、前記表示手段に選択的に表示された前記屋台派遣情報と前記屋台出店情報と前記調理人派遣情報とのいずれかに応じて外部から入力される選択情報を基に前記屋台の派遣指示と前記屋台の出店指示と前記調理人の派遣指示とのいずれかを出力する手段と、前記参加情報に基づいて生成される前記出店する屋台への参加申し込みを行った顧客のリストを蓄積する手段と、前記顧客のリストを取得する移動端末とを有し、出店した屋台への顧客の正当性を前記移動端末を介して確認することを特徴とする調理人派遣システム。
【請求項６】
前記表示手段に表示される前記屋台派遣情報と前記屋台出店情報と前記調理人派遣情報とはそれぞれ、インタネットを介して閲覧自在なホームページであることを特徴とする請求項５記載の調理人派遣システム。
【請求項７】
前記屋台派遣情報は、派遣可能な屋台の種類を示す情報と、前記屋台の派遣条件を示す情報と、前記屋台の派遣に要する料金情報とを少なくとも含むことを特徴とする請求項５または請求項６記載の調理人派遣システム。
【請求項８】
前記屋台出店情報は、出店予定の日時及び場所を示す情報と、出店する屋台の種類を示す情報と、前記出店する屋台の料金情報とを少なくとも含むことを特徴とする請求項５から請求項７のいずれか記載の調理人派遣システム。
【請求項９】
前記調理人派遣情報は、派遣可能な調理人名と、前記調理人の派遣条件を示す情報と、前記調理人の派遣に要する料金及び食材の料金の少なくとも一方を示す情報とを少なくとも含むことを特徴とする請求項５から請求項６のいずれか記載の調理人派遣システム。
【請求項１０】
前記屋台の詳細な情報を当該屋台の情報が掲示されたホームページに連結して閲覧自在とするようにしたことを特徴とする請求項５から請求項９のいずれか記載の調理人派遣システム。
【請求項１１】
前記調理人の詳細な情報を当該調理人の情報が掲示されたホームページに連結して閲覧自在とするようにしたことを特徴とする請求項５から請求項１０のいずれか記載の調理人派遣システム。
【発明の詳細な説明】
【０００１】
【発明の属する技術分野】
本発明は調理人派遣システム及びその方法に関し、特に屋台や調理人を派遣する方法に関する。
【０００２】
【従来の技術】
従来、屋台は調理したものや調理するための食材を積んだ車両等を、顧客がいそうな場所、あるいは人が集まる場所まで移動させ、その場所で車両等を止めて営業しているのが一般的である。
【０００３】
また、パーティ等が開催される場所においては、屋台をそのまま会場に入れたり、あるいは調理人を呼んで屋台に似た形状の調理場所または料理の提供場所で調理や料理の提供を行っている。この場合、顧客は屋台や調理人の派遣を事業とするイベントサービスの会社に電話等で連絡してそれらの提供を受けている。
【０００４】
【発明が解決しようとする課題】
しかしながら、屋台を営んでいる者にとっては、いくら人が集まる場所にて営業しても爆発的な売上げが毎日見込めるものでもなく、売上げを上げるためには人が集まる場所や日時を調査しなければならない。
【０００５】
一方、顧客にとっては屋台の営業場所が人が集まる場所にほぼ限定されるが、その決まった場所でいつも営業しているとは限らないため、食べたいもの（料理等）を食べたい場所で注文することが難しい。
【０００６】
また、パーティ等を開催する際にその会場内に調理人を派遣してもらい、擬似的に屋台を出すことも可能であるが、予めイベントサービスの会社に電話等で連絡しなければならず、パーティ等の予算によって制約を受けたり、手配可能な料理に限定されたりしてしまう。しかも、イベントサービスの会社の都合によっては開催場所として室内に限定されることもある。
【０００７】
そこで、本発明の目的は上記の問題点を解消し、屋台や調理人等を提供する側において人が集まる場所や日時を調査することなく売上げを見込むことができ、かつ屋台や調理人等の提供を受ける側において食べたいもの（料理等）を食べたい場所で注文することができる調理人派遣システム及びその方法を提供することにある。
【０００８】
【課題を解決するための手段】
本発明による調理人派遣システムは、予め登録された屋台の出店情報を基に作成された屋台出店情報を外部から閲覧自在に表示する表示手段と、前記表示手段に表示された屋台出店情報に応じて外部から入力される参加情報を基に前記屋台の出店指示を出力する手段と、前記参加情報に基づいて生成される前記出店する屋台への参加申し込みを行った顧客のリストを蓄積する手段と、前記顧客のリストを取得する移動端末とを備え、出店した屋台への顧客の正当性を前記移動端末を介して確認している。
【０００９】
本発明による他の調理人派遣システムは、予め登録された屋台の情報を基に作成された屋台派遣情報と予め登録された屋台の出店情報を基に作成された屋台出店情報と予め登録された調理人の情報を基に作成された調理人派遣情報とを外部から閲覧自在に表示する表示手段と、前記表示手段に選択的に表示された前記屋台派遣情報と前記屋台出店情報と前記調理人派遣情報とのいずれかに応じて外部から入力される選択情報を基に前記屋台の派遣指示と前記屋台の出店指示と前記調理人の派遣指示とのいずれかを出力する手段と、前記参加情報に基づいて生成される前記出店する屋台への参加申し込みを行った顧客のリストを蓄積する手段と、前記顧客のリストを取得する移動端末とを備え、出店した屋台への顧客の正当性を前記移動端末を介して確認している。
【００１６】
すなわち、本発明の調理人派遣システムは、予め登録された屋台の情報を基に作成したホームページを屋台派遣サイトに開設してユーザ端末から閲覧可能とし、ユーザ端末から入力される選択情報を基に屋台派遣センタ端末から屋台の派遣指示を出力している。
【００１７】
これによって、屋台等を提供する側において人が集まる場所や日時を調査することなく売上げを見込むことが可能となり、かつ屋台等の提供を受ける側において食べたいもの（料理等）を食べたい場所で注文することが可能となる。
【００１８】
また、本発明の調理人派遣システムは、予め設定された屋台の出店情報を基に作成したホームページを屋台派遣サイトに開設してユーザ端末から閲覧可能とし、ユーザ端末から入力される選択情報を基に屋台派遣センタ端末から屋台の派遣指示を出力している。
【００１９】
これによって、屋台等を提供する側において人が集まる場所や日時を調査することなく売上げを見込むことが可能となり、かつ屋台等の提供を受ける側において食べたいもの（料理等）を食べたい場所で注文することが可能となる。
【００２０】
さらに、本発明の調理人派遣システムは、予め登録された調理人の情報を基に作成したホームページを調理人派遣サイトに開設してユーザ端末から閲覧可能とし、ユーザ端末から入力される選択情報を基に調理人派遣センタ端末から調理人の派遣指示を出力している。
【００２１】
これによって、調理人等を提供する側において人が集まる場所や日時を調査することなく売上げを見込むことが可能となり、かつ調理人等の提供を受ける側において食べたいもの（料理等）を食べたい場所で注文することが可能となる。
【００２２】
【発明の実施の形態】
次に、本発明の実施例について図面を参照して説明する。図１は本発明の一実施例による屋台派遣システムの構成を示すブロック図である。図１において、本発明の一実施例による屋台派遣システムはユーザ端末１と、屋台派遣センタ端末２と、屋台派遣サイト（サーバ）３と、派遣情報データベース４と、それらを接続するインタネット１００とから構成されている。
【００２３】
ユーザ端末１は屋台派遣サイト３に開設された屋台コミュニティのホームページをインタネット１００を通して閲覧するためのブラウザソフトウェアが動作可能なパーソナルコンピュータ（以下、パソコンとする）等からなる。つまり、ユーザ端末１としてはインタネット１００を通して屋台コミュニティのホームページの閲覧とそのホームページへの書込み（入力）が可能であれば、携帯電話端末等でもよい。
【００２４】
屋台派遣センタ端末２は屋台派遣サイト３を通して派遣情報データベース４に蓄積された派遣情報をダウンロード可能なパソコン等からなり、その派遣情報の管理を行うとともに、その派遣情報に基づいて屋台Ａの派遣指示等を出力する。
【００２５】
屋台派遣サイト３は予め派遣情報データベース４に登録された屋台Ａの情報を基に作成された屋台コミュニティのホームページをユーザ端末１に提供し、かつユーザ端末１から入力される派遣申し込みの情報を派遣情報データベース４に蓄積する。
【００２６】
図２は本発明の一実施例による屋台派遣システムの処理動作を示すフローチャートであり、図３〜図６は図１の屋台派遣サイト３から得られる表示画面を示す図である。これら図１〜図６を参照して本発明の一実施例による屋台派遣システムの処理動作について説明する。
【００２７】
屋台派遣サイト３には屋台の種類情報（「ラーメン」、「おでん」、「焼き鳥」、「日本料理」、「中華料理」、……）、派遣条件情報（「派遣可能な区域は、……」、「派遣可能な時間帯は、……」等）、料金情報（派遣料金や料理代金等）、注意情報（「最低価格は、……」等）が掲載されている。この屋台派遣サイト３にはユーザ端末１がインタネット１００を通して接続することで、ユーザ端末１から屋台コミュニティのホームページ３ａ，３ｂが閲覧可能となる（図２ステップＳ１）（図４参照）。
【００２８】
ユーザ端末１において、屋台コミュニティのホームページ３ａ上で屋台派遣情報のボタンがクリックされると、上記の各種情報が掲載された画面３ｂが表示される。その画面３ｂ上で申し込みボタンａ４がクリックされると、屋台派遣申し込みの画面３ｃが表示される（図２ステップＳ２）（図５参照）。
【００２９】
ここで、各種情報が掲載された画面３ｂにおいては、屋台の種類「ラーメン」、「おでん」、「焼き鳥」、「日本料理」、「中華料理」、……の下に設けられた詳細ボタンをクリックすることで、その屋台毎の特徴や料理の内容等が表示される。この場合には詳細ボタンをそれらの内容が掲載されたホームページにリンクしておくことで、それらの表示を行うようにすることも可能である。
【００３０】
また、各種情報が掲載された画面３ｂにおいては、選択ボタンａ１，ａ２や試算ボタンａ３も設けられており、屋台の派遣が顧客Ｂの予算内で可能かどうかを申し込み前に見ることも可能である。
【００３１】
その屋台派遣申し込みの画面３ｃ上で氏名、連絡先、所望の屋台、派遣日時、派遣場所等を書込み、送信ボタンａ５をクリックすることで、それらの派遣申し込みの情報が屋台派遣サイト３に送信される（図２ステップＳ３）。
【００３２】
屋台派遣サイト３はユーザ端末１から送られてきた派遣申し込みの情報を基に確認画面３ｄを作成し、その確認画面３ｄをユーザ端末１に表示させる（図２ステップＳ４）（図５参照）。確認画面３ｄを確認した後に、送信ボタンａ７がクリックされると、ユーザ端末１から確認通知が屋台派遣センタ端末２及び屋台派遣サイト３に送信される（図２ステップＳ７）。
【００３３】
尚、確認画面３ｄを確認し、その内容を修正した後に、修正ボタンａ６がクリックされると、その修正内容が屋台派遣サイト３に送信され（図２ステップＳ５）、修正された確認画面３ｄがユーザ端末１に表示される（図２ステップＳ６）。この修正はユーザ端末１から確認通知が屋台派遣センタ端末２及び屋台派遣サイト３に送信されるまで行われる。
【００３４】
屋台派遣サイト３はユーザ端末１から確認通知が送られてくると、顧客Ｂによって確認された確認画面３ｄの情報を派遣情報データベース４に蓄積する。屋台派遣センタ端末２はユーザ端末１から確認通知が送られてくると、インタネット１００を通して屋台派遣サイト３に接続し、派遣情報データベース４に蓄積された確認画面３ｄの情報をダウンロードして派遣可能な条件か否かを検討する（図２ステップＳ８）。この検討は予め屋台派遣センタ端末２内に格納されている登録屋台のスケジューリング内容に基づいて自動的に行われる。
【００３５】
屋台派遣センタ端末２は上記の検討結果及び派遣条件をユーザ端末１及び屋台派遣サイト３に通知する（図２ステップＳ９）。この通知はユーザ端末１に直接送信することも、また屋台派遣サイト３に掲載することも可能であるが、屋台派遣サイト３に掲載する場合にはその屋台の派遣を依頼したユーザ端末１にのみ閲覧可能としている。この方法としては、申し込みの時点でその申し込みを特定する識別情報またはパスワードを発行する方法等が考えられる。
【００３６】
顧客Ｂが検討結果及び派遣条件を確認し、それでよければ検討結果の受領をユーザ端末１から屋台派遣センタ端末２及び屋台派遣サイト３に送信する（図２ステップＳ１０）。屋台派遣センタ端末２はユーザ端末１から検討結果の受領を受取ると、受領確認をユーザ端末１及び屋台派遣サイト３に通知する（図２ステップＳ１１）。
【００３７】
屋台派遣サイト３はユーザ端末１から検討結果の受領を受取り、屋台派遣センタ端末２から受領確認を受取ると、派遣情報データベース４に蓄積された確認画面３ｄの情報に対応させて成約の情報を格納する。
【００３８】
屋台派遣センタ端末２は上記の受領確認を通知した後、屋台Ａを指定された派遣日時に、指定された派遣場所へ派遣するよう指示を出す（図２ステップＳ１２）。屋台Ａで調理を行う調理人は顧客Ｂに料理を提供し、代金を徴収する。尚、代金については予め指定した口座等に振り込んでもらう方法等でもよい。
【００３９】
図７は本発明の一実施例による屋台派遣システムの他の処理動作を示すフローチャートであり、図８〜図１１は図１の屋台派遣サイト３から得られる表示画面を示す図である。これら図７〜図１１を参照して本発明の一実施例による屋台派遣システムの他の処理動作について説明する。
【００４０】
屋台派遣サイト３にはユーザ端末１がインタネット１００を通して接続することで、ユーザ端末１から屋台コミュニティのホームページ３ａが閲覧可能となる（図７ステップＳ２１）（図３参照）。
【００４１】
ユーザ端末１において、屋台コミュニティのホームページ３ａ上で屋台出店情報のボタンがクリックされると、屋台の出店予定（「７月予定」、「８月予定」、……）、注意情報（「条件が一致しなかった場合、悪天候の場合には中止となります。……」等）が掲載された画面３ｅが表示される（図７ステップＳ２２）（図８参照）。
【００４２】
ここで、各種情報が掲載された画面３ｅにおいては、屋台の出店予定の７月予定の「２０日  ○○公園」、「２２日  △△公園」、「２３日  ◇◇公園」、「２９日  □□神社」、「３０日  ◇◇公園」、８月予定の「５日  ○○公園」、「６日  ××河川敷」、「１２日  △△公園」、「１３日  ▽▽寺境内」、「１９日  □□体育館」各々の横には詳細ボタンと開催・中止・検討中の表示ボタンとが設けてある。
【００４３】
上記の予定の欄の詳細ボタンをクリックすることで、その予定毎の出店場所、出店時間、出店屋台の種類、コース、注意事項が掲載された詳細情報の画面３ｆが表示される（図９参照）。コースの欄の横には参加ボタンａ１３が設けられており、現在検討中の予定の詳細情報の画面３ｆでのみクリック可能となっている。つまり、屋台派遣センタ端末２では検討中の予定に対するこの参加ボタンａ１３及び上記の申し込みボタンａ１１のクリック回数を計数し、それによって開催か中止かを予め設定された条件（例えば、売上予定金額や参加人数等）にしたがって自動的に決定するようになっている。
【００４４】
また、出店屋台の種類では当日出店予定の屋台の種類（図９中では「ラーメン」、「おでん」、「焼き鳥」、「カレー」）の下に設けられた詳細ボタンをクリックすることで、その屋台毎の特徴や料理の内容等が表示される。この場合には詳細ボタンをそれらの内容が掲載されたホームページにリンクしておくことで、それらの表示を行うようにすることも可能である。
【００４５】
上記の画面３ｅ上で申し込みボタンａ１１がクリックされると（図７ステップＳ２３）、屋台参加申し込みの画面３ｇが表示される（図７ステップＳ２４）（図１０参照）。
【００４６】
屋台参加申し込みの画面３ｇ上で氏名、連絡先、所望の屋台、参加日時、参加人数、参加コース等を書込み、送信ボタンａ１４をクリックすることで、それらの参加申し込みの情報が屋台派遣サイト３に送信される（図７ステップＳ２５）。
【００４７】
屋台派遣サイト３はユーザ端末１から送られてきた派遣申し込みの情報を基に確認画面３ｈを作成し、その確認画面３ｈをユーザ端末１に表示させる（図１１参照）。確認画面３ｈを確認した後に、送信ボタンａ１６がクリックされると、ユーザ端末１から確認通知が屋台派遣センタ端末２及び屋台派遣サイト３に送信される。
【００４８】
尚、確認画面３ｈを確認し、その内容を修正した後に、修正ボタンａ１５がクリックされると、その修正内容が屋台派遣サイト３に送信され、修正された確認画面３ｈがユーザ端末１に表示される。この修正はユーザ端末１から確認通知が屋台派遣センタ端末２及び屋台派遣サイト３に送信されるまで行われる。
【００４９】
屋台派遣センタ端末２では検討中の予定に対する参加ボタンａ１３や申し込みボタンａ１１のクリック回数によって開催か中止かを検討すると（図７ステップＳ２６）、その検討結果を屋台派遣サイト３に通知する（図７ステップＳ２７）。屋台派遣サイト３はその検討結果を各種情報が掲載された画面３ｅに表示させる。
【００５０】
この後、ユーザ端末１から屋台派遣サイト３のホームページが閲覧されると（図７ステップＳ２８）、屋台派遣サイト３から屋台派遣実施の有無が掲載された画面ｅが表示される（図７ステップＳ２９）。
【００５１】
屋台派遣サイト３では上述した表示内容を派遣情報データベース４に蓄積している。屋台派遣センタ端末２は最終的な検討結果を参加証（屋台の派遣を開催する場合のみ）とともに電子メールにてユーザ端末１に通知する（図７ステップＳ３０）。
【００５２】
顧客１はユーザ端末１に送られてきた参加証をプリンタ等によって出力する（図７ステップＳ３１）。屋台派遣センタ端末２は上記の検討結果及び参加証を通知した後、屋台Ａを予定した出店日時に、予定した出店場所へ出店するよう指示を出す（図７ステップＳ３２）。
【００５３】
屋台Ａで調理を行う調理人は個別に出力した参加証を持参する顧客Ｂに料理を提供し、代金を徴収する。尚、代金については予め指定した口座等に振り込んでもらう方法等でもよい。
【００５４】
尚、本発明の一実施例では屋台の派遣の申し込みと、予定した屋台の出店への参加申し込みとを同一システム内で実行可能にしているが、それぞれ別のシステムで実行することも可能であり、これに限定されない。
【００５５】
図１２は本発明の他の実施例による屋台派遣システムの構成を示すブロック図である。図１２において、本発明の他の実施例による屋台派遣システムはインタネット１００に接続可能な移動端末５を屋台に取付け、顧客が提示する参加証を移動端末５で確認できるようにした以外は本発明の一実施例による屋台派遣システムと同様の構成となっており、同一構成要素には同一符号を付してある。また、同一構成要素の動作は本発明の一実施例と同様である。
【００５６】
移動端末５では、上述した予定した屋台の出店への参加申し込みの場合、その申し込みを行った顧客Ｂのリストを派遣情報データベース４に蓄積しておくことで、予定した出店日時に派遣情報データベース４から顧客Ｂのリストをダウンロードすることで、自分の屋台にくる顧客Ｂのリストと顧客Ｂが持ってくる参加証とをチェックしてから料理の提供を行うことで料理等を余分に作っておく必要がなくなる。
【００５７】
図１３は本発明の別の実施例による調理人派遣システムの構成を示すブロック図である。図１３において、本発明の別の実施例による調理人派遣システムはユーザ端末１１と、調理人派遣センタ端末１２と、調理人派遣サイト（サーバ）１３と、派遣情報データベース１４と、それらを接続するインタネット１００とから構成されている。
【００５８】
ユーザ端末１１は調理人派遣サイト１３に開設された調理人コミュニティのホームページをインタネット１００を通して閲覧するためのブラウザソフトウェアが動作可能なパソコン等からなる。つまり、ユーザ端末１１としてはインタネット１００を通して屋台コミュニティのホームページの閲覧とそのホームページへの書込み（入力）が可能であれば、携帯電話端末等でもよい。
【００５９】
調理人派遣センタ端末１２は調理人派遣サイト１３を通して派遣情報データベース１４に蓄積された派遣情報をダウンロード可能なパソコン等からなり、その派遣情報の管理を行うとともに、その派遣情報に基づいて調理人の派遣先Ｃへの派遣指示等を出力する。
【００６０】
調理人派遣サイト１３は予め派遣情報データベース１４に登録された調理人の情報を基に作成された調理人コミュニティのホームページをユーザ端末１１に提供し、かつユーザ端末１１から入力される派遣申し込みの情報を派遣情報データベース１４に蓄積する。
【００６１】
図１４は本発明の一実施例による調理人派遣システムの処理動作を示すフローチャートであり、図１５〜図１７は図１３の調理人派遣サイト１３から得られる表示画面を示す図である。これら図１３〜図１７を参照して本発明の別の実施例による調理人派遣システムの処理動作について説明する。
【００６２】
調理人派遣サイト３には登録された調理人（「日本料理」の調理人、「中華料理」の調理人、「フランス（仏）料理」の調理人、「イタリア（伊）料理」の調理人、「インド（印度）料理」の調理人、……）、派遣条件情報（「派遣可能な区域は、……」、「派遣可能な時間帯は、……」等）、料金情報（派遣料金や食材代金等）、注意情報（「最低価格は、……」等）が掲載されている。この調理人派遣サイト１３にはユーザ端末１１がインタネット１００を通して接続することで、ユーザ端末１１から調理人コミュニティのホームページ１３ａが閲覧可能となる（図１４ステップＳ４１）（図１５参照）。
【００６３】
ユーザ端末１１において、上記の各種情報が掲載された画面１３ａ上で申し込みボタンｂ４がクリックされると、調理人派遣申し込みの画面１３ｂが表示される（図１４ステップＳ４２）（図１６参照）。
【００６４】
ここで、各種情報が掲載された画面１３ａにおいては、調理人の欄の下に設けられた詳細ボタンをクリックすることで、その調理人毎の特徴や料理の内容等が表示される。この場合には詳細ボタンをそれらの内容が掲載されたホームページにリンクしておくことで、それらの表示を行うようにすることも可能である。
【００６５】
また、各種情報が掲載された画面１３ａにおいては、選択ボタンｂ１，ｂ２や試算ボタンｂ３も設けられており、調理人の派遣が顧客Ｂの予算内で可能かどうかを申し込み前に見ることも可能である。
【００６６】
その調理人派遣申し込みの画面１３ｂ上で氏名、連絡先、所望の調理人名、調理人人数、使用食材、予算、派遣日時、派遣場所等を書込み、送信ボタンｂ５をクリックすることで、それらの派遣申し込みの情報が調理人派遣サイト１３に送信される（図１４ステップＳ４３）。
【００６７】
調理人派遣サイト１３はユーザ端末１１から送られてきた派遣申し込みの情報を基に確認画面１３ｃを作成し、その確認画面１３ｃをユーザ端末１１に表示させる（図１４ステップＳ４４）（図１７参照）。確認画面１３ｃを確認した後に、送信ボタンｂ７がクリックされると、ユーザ端末１１から確認通知が調理人派遣センタ端末１２及び調理人派遣サイト１３に送信される（図１４ステップＳ４７）。
【００６８】
尚、確認画面１３ｃを確認し、その内容を修正した後に、修正ボタンｂ６がクリックされると、その修正内容が調理人派遣サイト１３に送信され（図１４ステップＳ４５）、修正された確認画面１３ｃがユーザ端末１１に表示される（図１４ステップＳ４６）。この修正はユーザ端末１１から確認通知が調理人派遣センタ端末１２及び調理人派遣サイト１３に送信されるまで行われる。
【００６９】
調理人派遣サイト１３はユーザ端末１１から確認通知が送られてくると、顧客Ｂによって確認された確認画面１３ｃの情報を派遣情報データベース１４に蓄積する。調理人派遣センタ端末１２はユーザ端末１１から確認通知が送られてくると、インタネット１００を通して調理人派遣サイト１３に接続し、派遣情報データベース１４に蓄積された確認画面１３ｃの情報をダウンロードして派遣可能な条件か否かを検討する（図１４ステップＳ４８）。この検討は予め調理人派遣センタ端末１２内に格納されている登録調理人のスケジューリング内容に基づいて自動的に行われる。
【００７０】
調理人派遣センタ端末１２は上記の検討結果及び派遣条件をユーザ端末１１及び調理人派遣サイト１３に通知する（図１４ステップＳ４９）。この通知はユーザ端末１１に直接送信することも、また調理人派遣サイト１３に掲載することも可能であるが、調理人派遣サイト１３に掲載する場合にはその調理人の派遣を依頼したユーザ端末１１にのみ閲覧可能としている。この方法としては、申し込みの時点でその申し込みを特定する識別情報またはパスワードを発行する方法等が考えられる。
【００７１】
顧客Ｂが検討結果及び派遣条件を確認し、それでよければ検討結果の受領をユーザ端末１１から調理人派遣センタ端末１２及び調理人派遣サイト１３に送信する（図１４ステップＳ５０）。調理人派遣センタ端末１２はユーザ端末１１から検討結果の受領を受取ると、受領確認をユーザ端末１１及び調理人派遣サイト１３に通知する（図１４ステップＳ５１）。
【００７２】
調理人派遣サイト１３はユーザ端末１１から検討結果の受領を受取り、調理人派遣センタ端末１２から受領確認を受取ると、派遣情報データベース１４に蓄積された確認画面１３ｃの情報に対応させて成約の情報を格納する。
【００７３】
調理人派遣センタ端末１２は上記の受領確認を通知した後、調理人を指定された派遣日時に、指定された派遣先Ｃへ派遣するよう指示を出す（図１４ステップＳ５２）。調理人は顧客Ｂに料理を提供し、代金を徴収する。尚、代金については予め指定した口座等に振り込んでもらう方法等でもよい。
【００７４】
このように、予め登録された屋台Ａの情報を基に作成したホームページを屋台派遣サイト３に開設してユーザ端末１から閲覧可能とし、ユーザ端末１から入力される選択情報を基に屋台派遣センタ端末２から屋台Ａの派遣指示を出力することによって、屋台Ａ等を提供する側において人が集まる場所や日時を調査することなく売上げを見込むことができ、かつ屋台Ａ等の提供を受ける側において食べたいもの（料理等）を食べたい場所で注文することができる。
【００７５】
また、予め設定された屋台Ａの出店情報を基に作成したホームページを屋台派遣サイト３に開設してユーザ端末１から閲覧可能とし、ユーザ端末１から入力される選択情報を基に屋台派遣センタ端末２から屋台Ａの派遣指示を出力することによって、屋台Ａ等を提供する側において人が集まる場所や日時を調査することなく売上げを見込むことができ、かつ屋台Ａ等の提供を受ける側において食べたいもの（料理等）を食べたい場所で注文することができる。
【００７６】
さらに、予め登録された調理人の情報を基に作成したホームページを調理人派遣サイト３に開設してユーザ端末１から閲覧可能とし、ユーザ端末１から入力される選択情報を基に調理人派遣センタ端末２から調理人の派遣指示を出力することによって、調理人等を提供する側において人が集まる場所や日時を調査することなく売上げを見込むことができ、かつ調理人等の提供を受ける側において食べたいもの（料理等）を食べたい場所で注文することができる。
【００７７】
【発明の効果】
以上説明したように本発明の調理人派遣システムによれば、予め登録された屋台の情報を基に作成された屋台派遣情報と予め登録された屋台の出店情報を基に作成された屋台出店情報と予め登録された調理人の情報を基に作成された調理人派遣情報とを外部から閲覧自在に表示し、選択的に表示された屋台派遣情報と屋台出店情報と調理人派遣情報とのいずれかに応じて外部から入力される選択情報を基に屋台の派遣指示と屋台の出店指示と調理人の派遣指示とのいずれかを出力することによって、屋台や調理人等を提供する側において人が集まる場所や日時を調査することなく売上げを見込むことができ、かつ屋台や調理人等の提供を受ける側において食べたいもの（料理等）を食べたい場所で注文することができるという効果がある。
【図面の簡単な説明】
【図１】本発明の一実施例による屋台派遣システムの構成を示すブロック図である。
【図２】本発明の一実施例による屋台派遣システムの処理動作を示すフローチャートである。
【図３】図１の屋台派遣サイトから得られる表示画面を示す図である。
【図４】図１の屋台派遣サイトから得られる表示画面を示す図である。
【図５】図１の屋台派遣サイトから得られる表示画面を示す図である。
【図６】図１の屋台派遣サイトから得られる表示画面を示す図である。
【図７】本発明の一実施例による屋台派遣システムの他の処理動作を示すフローチャートである。
【図８】図１の屋台派遣サイトから得られる表示画面を示す図である。
【図９】図１の屋台派遣サイトから得られる表示画面を示す図である。
【図１０】図１の屋台派遣サイトから得られる表示画面を示す図である。
【図１１】図１の屋台派遣サイトから得られる表示画面を示す図である。
【図１２】本発明の他の実施例による屋台派遣システムの構成を示すブロック図である。
【図１３】本発明の別の実施例による調理人派遣システムの構成を示すブロック図である。
【図１４】本発明の一実施例による調理人派遣システムの処理動作を示すフローチャートである。
【図１５】図１３の調理人派遣サイトから得られる表示画面を示す図である。
【図１６】図１３の調理人派遣サイトから得られる表示画面を示す図である。
【図１７】図１３の調理人派遣サイトから得られる表示画面を示す図である。
【符号の説明】
１，１１  ユーザ端末
２，１２  屋台派遣センタ端末
３，１３  屋台派遣サイト（サーバ）
４，１４  派遣情報データベース
５  移動端末
１００  インタネット
【図１】
0003667604.tif 000002
【図２】
0003667604.tif 000003
【図３】
0003667604.tif 000004
【図４】
0003667604.tif 000005
【図５】
0003667604.tif 000006
【図６】
0003667604.tif 000007
【図７】
0003667604.tif 000008
【図８】
0003667604.tif 000009
【図９】
0003667604.tif 000010
【図１０】
0003667604.tif 000011
【図１１】
0003667604.tif 000012
【図１２】
0003667604.tif 000013
【図１３】
0003667604.tif 000014
【図１４】
0003667604.tif 000015
【図１５】
0003667604.tif 000016
【図１６】
0003667604.tif 000017
【図１７】
0003667604.tif 000018